(57)【特許請求の範囲】
【請求項１】
基地局情報を収集する基地局情報収集処理を開始して基地局情報収集結果を取得し、その取得された基地局情報収集結果を電話無線手段から位置情報サーバに送信させる制御手段を備えた無線通信端末であって、
所定時間を計時する計時手段を備え、
前記制御手段は、前記電話無線手段がポイントトゥポイントプロトコル接続（ＰＰＰ接続）を確立しており且つトランスミッションコントロールプロトコル接続（ＴＣＰ接続）を確立していない場合に測位開始の指示があったことを条件として、前記基地局情報収集処理を開始したのちに前記計時手段による所定時間の計時を開始させ、前記計時手段による所定時間の計時が終了したのちに前記基地局情報収集結果を取得し、その取得された基地局情報収集結果を前記電話無線手段から前記位置情報サーバに送信させることを特徴とする無線通信端末。
【請求項２】
無線通信端末に、
電話無線手段がポイントトゥポイントプロトコル接続（ＰＰＰ接続）を確立しており且つトランスミッションコントロールプロトコル接続（ＴＣＰ接続）を確立していない場合に測位開始の指示があったことを条件として、基地局情報を収集する基地局情報収集処理を開始させる手順と、
前記基地局情報収集処理を開始させたのちに計時手段による所定時間の計時を開始させる手順と、
前記計時手段による所定時間の計時が終了したのちに基地局情報収集結果を取得させる手順と、
その取得された基地局情報収集結果を前記電話無線手段から位置情報サーバに送信させる手順とを実行させるためのコンピュータプログラム。
【請求項３】
無線通信端末において、電話無線手段がポイントトゥポイントプロトコル接続（ＰＰＰ接続）を確立しており且つトランスミッションコントロールプロトコル接続（ＴＣＰ接続）を確立していない場合に測位開始の指示があったことを条件として、
基地局情報を収集する基地局情報収集処理を開始したのちに計時手段による所定時間の計時を開始し、前記計時手段による所定時間の計時が終了したのちに基地局情報収集結果を取得し、その取得された基地局情報収集結果を前記電話無線手段から位置情報サーバに送信することを特徴とする基地局情報の送信方法。
【発明の詳細な説明】
【０００１】
【発明の属する技術分野】
本発明は、基地局情報を収集する基地局情報収集処理を開始して取得された基地局情報収集結果を位置情報サーバに送信するように構成された無線通信端末、前記無線通信端末にて実行されるコンピュータプログラムならびに基地局情報の送信方法に関する。
【０００２】
【発明が解決しようとする課題】
近年、例えば携帯電話機などの無線通信端末の位置を特定する位置特定システムの一つとして、ＩＳ（Interim Standard）８０１規格上で実現されるシステムがある。このＩＳ８０１規格上で実現されるシステムでは、携帯電話機は、例えばユーザの操作による測位開始の指示があると、基地局情報を収集する基地局情報収集処理を開始し、その基地局情報収集処理を開始して取得された基地局情報収集結果を位置情報サーバに送信する。
【０００３】
位置情報サーバは、携帯電話機から基地局情報収集結果を受信すると、その受信された基地局情報収集結果に基づいて携帯電話機のおおよその位置を特定すると共に、携帯電話機がＧＰＳ（Grobal Positioning System ）衛星を捕捉するのに有益なアシスト情報を携帯電話機に送信する。そして、携帯電話機は、位置情報サーバからアシスト情報を受信すると、その受信されたアシスト情報に基づいてＧＰＳ衛星を捕捉する。このものによれば、携帯電話機は、位置情報サーバから受信されたアシスト情報に基づいてＧＰＳ衛星を捕捉することができる分、負荷を軽減することができ、また、測位を開始するまでの時間を短縮することができるなどの利点がある。
【０００４】
さて、ここで、上記した基地局情報収集処理について、図１０ないし図１２を参照して説明する。まず、図１０は、携帯電話機において、例えばユーザの操作による測位開始の指示があった時点で、ポイントトゥポイントプロトコル接続  （ＰＰＰ（Point to Point Protocol ）接続）ならびにトランスミッションコントロールプロトコル接続（ＴＣＰ（Transmission Contol Protocol）接続）の双方を確立していない場合を示している。この場合、携帯電話機は、測位開始の指示があると、その測位開始の指示があった時点から、ＰＰＰ接続を確立し、次いで、ＴＣＰ接続を確立することになるので、測位セッション管理タスクからサーチタスクに基地局情報収集開始要求が通知され、サーチタスクが基地局情報収集処理を開始してから、測位セッション管理タスクからサーチタスクに基地局情報収集結果要求が通知され、サーチタスクが基地局情報収集結果を取得するまでに、十分な時間を確保することができ、その結果、適切な基地局情報収集結果を取得し、その取得された適切な基地局情報収集結果を位置情報サーバに送信することができる。
【０００５】
しかしながら、これに対して、図１１に示すように、携帯電話機において、例えばユーザの操作による測位開始の指示があった時点で、ＰＰＰ接続を既に確立している場合には、携帯電話機は、これ以降、ＴＣＰ接続のみを確立することになるので、サーチタスクが基地局情報収集処理を開始してから基地局情報収集結果を取得するまでに、十分な時間を確保することができず、その結果、適切な基地局情報収集結果を取得することができず、不適切な基地局情報収集結果を位置情報サーバに送信することになる。
【０００６】
そうなると、位置情報サーバは、携帯電話機から不適切な基地局情報収集結果を受信することになるので、携帯電話機のおおよその位置を正確に特定することができず、不適切なアシスト情報を携帯電話機に送信することになる。そして、これ以降、携帯電話機は、位置情報サーバから不適切なアシスト情報を受信することになるので、適切なＧＰＳ衛星を捕捉することができなくなり、その結果として、位置特定システムにおいては、測位精度が低下することになり、携帯電話機の位置を正確に特定することができなくなる。
【０００７】
また、このような問題は、ユーザの操作による測位開始の指示があった場合のみならず、図１２に示すように、携帯電話機と位置情報サーバとの間でハードハンドオフが発生し、それに伴って、携帯電話機と位置情報サーバとの間の接続がドーマント状態から復帰した場合にも起こり得るものである。
【０００８】
本発明は、上記した事情に鑑みてなされたものであり、その目的は、適切な基地局情報収集結果を位置情報サーバに送信することができ、また、無線通信端末の位置を特定する位置特定システムにおいては、無線通信端末の位置を正確に特定することができ、信頼性を高めることができる無線通信端末、コンピュータプログラムならびに基地局情報の送信方法を提供することにある。
【０００９】
【課題を解決するための手段】
請求項１に記載した無線通信端末によれば、制御手段は、電話無線手段がポイントトゥポイントプロトコル接続（ＰＰＰ接続）を確立しており且つトランスミッションコントロールプロトコル接続（ＴＣＰ接続）を確立していない場合に測位開始の指示があると、基地局情報を収集する基地局情報収集処理を開始し、計時手段による所定時間の計時を開始させる。そして、制御手段は、計時手段による所定時間の計時が終了すると、基地局情報収集結果を取得し、その取得された基地局情報収集結果を電話無線手段から位置情報サーバに送信させる。
【００１０】
したがって、適切な基地局情報収集結果を取得し得ると推測される時間を所定時間として設定しておくことによって、無線通信端末は、基地局情報収集処理を開始してから基地局情報収集結果を取得するまでに、適切な基地局情報収集結果を取得するのに十分な時間を確保することができ、その結果、適切な基地局情報収集結果を取得することでき、その取得された適切な基地局情報収集結果を位置情報サーバに送信することができる。
【００１１】
そして、無線通信端末の位置を特定する位置特定システムにおいては、これ以降、位置情報サーバは、無線通信端末から適切な基地局情報収集結果を受信すると、その受信された適切な基地局情報収集結果に基づいて無線通信端末のおおよその位置を正確に特定すると共に、適切なアシスト情報を無線通信端末に送信することになり、無線通信端末は、位置情報サーバから適切なアシスト情報を受信すると、その受信された適切なアシスト情報に基づいて適切なＧＰＳ衛星を捕捉することになるので、これによって、測位精度が低下することを未然に回避することができ、無線通信端末の位置を正確に特定することができ、信頼性を高めることができる。
【００１２】
請求項２に記載したコンピュータプログラムによれば、そのコンピュータプログラムを無線通信端末にインストールして実行させると、電話無線手段がポイントトゥポイントプロトコル接続（ＰＰＰ接続）を確立しており且つトランスミッションコントロールプロトコル接続（ＴＣＰ接続）を確立していない場合に測位開始の指示があったことを条件として、基地局情報を収集する基地局情報収集処理を開始させる手順と、基地局情報収集処理を開始させたのちに計時手段による所定時間の計時を開始させる手順と、計時手段による所定時間の計時が終了したのちに基地局情報収集結果を取得させる手順と、その取得された基地局情報収集結果を電話無線手段から位置情報サーバに送信させる手順とを実行するようになるので、上記した請求項１に記載したものと同様にして、適切な基地局情報収集結果を取得し得ると推測される時間を所定時間として設定しておくことによって、上記した請求項１に記載したものと同様の作用効果を得ることができる。すなわち、無線通信端末においては、適切な基地局情報収集結果を位置情報サーバに送信することができ、また、位置特定システムにおいては、無線通信端末の位置を正確に特定することができ、信頼性を高めることができる。
【００１３】
請求項３に記載した基地局情報の送信方法によれば、無線通信端末において、電話無線手段がポイントトゥポイントプロトコル接続（ＰＰＰ接続）を確立しており且つトランスミッションコントロールプロトコル接続（ＴＣＰ接続）を確立していない場合に測位開始の指示があったことを条件として、基地局情報を収集する基地局情報収集処理を開始したのちに計時手段による所定時間の計時を開始し、計時手段による所定時間の計時が終了すると、基地局情報収集結果を取得し、その取得された基地局情報収集結果を電話無線手段から位置情報サーバに送信するようになるので、この場合も、上記した請求項１に記載したものと同様にして、適切な基地局情報収集結果を取得し得ると推測される時間を所定時間として設定しておくことによって、上記した請求項１に記載したものと同様の作用効果を得ることができる。すなわち、無線通信端末においては、適切な基地局情報収集結果を位置情報サーバに送信することができ、また、位置特定システムにおいては、無線通信端末の位置を正確に特定することができ、信頼性を高めることができる。
【００２３】
【発明の実施の形態】
（第１の実施の形態）
以下、本発明でいう無線通信端末を携帯電話機に適用した第１実施例について、図１ないし図３を参照して説明する。
まず、図２は、携帯電話機の機能ブロックならびに周辺の構成を概略的に示している。携帯電話機１は、マイクロコンピュータを主体としてなるＣＰＵ（Central Processing Unit ）２（本発明でいう制御手段）に、ＧＰＳ（Grobal Positioning System ）衛星３を捕捉する（ＧＰＳ電波を無線処理する）ＧＰＳ無線部４と、ＣＤＭＡ（Code Division Multiple Access ：符号分割多元接続）方式に準じた電話処理を行うＣＤＭＡ無線部５（本発明でいう電話無線手段）と、マイクロホン６から入力した送話音声やスピーカ７から出力する受話音声を処理する音声処理部８と、「通話開始」キー、「通話終了」キー、「０」〜「９」の「数字」キーなどの多数のキーを配列したキーパッドから構成される操作部９と、日付・時刻や電話番号などを表示する液晶ディスプレイから構成される表示部１０と、ＲＡＭ（Random Access Memory  ）やＲＯＭ（Read Only Memory）から構成される記憶部１１と、計時機能を有する計時部１２（本発明でいう計時手段）とが接続された構成となっている。
【００２４】
このような構成では、携帯電話機１は、例えばユーザの操作による測位開始の指示が操作部９にてあった場合、または、自機１と位置情報サーバ１３との間の接続がドーマント状態から復帰した場合に、基地局情報を収集する基地局情報収集処理を開始して基地局情報収集結果を取得し、その取得された基地局情報収集結果を基地局１４、基地局制御装置１５ならびにＣＤＭＡ電話網１６を通じて位置情報サーバ１３に送信する。
【００２５】
位置情報サーバ１３は、携帯電話機１から基地局情報収集結果を受信すると、その受信された基地局情報収集結果に基づいて携帯電話機１のおおよその位置を特定すると共に、携帯電話機１がＧＰＳ衛星３を捕捉するのに有益なアシスト情報をＣＤＭＡ電話網１６、基地局制御装置１５ならびに基地局１４を通じて携帯電話機１に送信する。そして、携帯電話機１は、位置情報サーバ１３からアシスト情報を受信すると、その受信されたアシスト情報に基づいてＧＰＳ衛星３を捕捉する。
【００２６】
コンテンツサーバ１７は、携帯電話機１が例えばゲームソフト（ソフトウェア）や地図表示ソフトなどのアプリケーションソフトを実行するのに必要なコンテンツデータをＣＤＭＡ電話網１６、基地局制御装置１５ならびに基地局１４を通じて携帯電話機１に送信し、携帯電話機１は、コンテンツサーバ１７からコンテンツデータを受信すると、その受信されたコンテンツデータに基づいてアプリケーションソフトを実行し、例えばゲーム画面や地図表示画面などを表示部１０に表示する。
【００２７】
また、上記した携帯電話機１においては、ＣＰＵ２は、コンピュータプログラムのアルゴリズムとして、位置情報サーバ１３との間で行う測位を管理する処理と、基地局情報を収集する処理とを分担して実行する構成となっており、測位セッション管理タスクが位置情報サーバ１３との間で行う測位を管理する処理を実行すると共に、サーチタスクが基地局情報を収集する処理を実行するようになっている。
【００２８】
次に、上記した構成の作用について、図１ならびに図３を参照して説明する。尚、ここでは、上記したように、携帯電話機１が、ユーザの操作による測位開始の指示が操作部９にてあった場合、または、自機１と位置情報サーバ１３との間の接続がドーマント状態から復帰した場合に、基地局情報を収集する基地局情報収集処理を開始することから、
（１）ユーザの操作による測位開始の指示が操作部９にてあった場合
（２）携帯電話機１と位置情報サーバ１３との間の接続がドーマント状態から復帰した場合
の各々について順次説明する。
【００２９】
（１）ユーザの操作による測位開始の指示が操作部９にてあった場合
まず、ユーザの操作による測位開始の指示が操作部９にてあった場合について、図１を参照して説明する。ＣＰＵ２において、測位セッション管理タスクは、ユーザの操作による測位開始の指示が操作部９にてあると、基地局情報収集開始要求をサーチタスクに通知する。また、このとき、測位セッション管理タスクは、ＣＤＭＡ無線部５がＰＰＰ接続を既に確立しているか否かを判定する。ここで、測位セッション管理タスクは、ＣＤＭＡ無線部５がＰＰＰ接続を既に確立していると、あらかじめ設定している所定時間の計時を計時部１２にて開始させ、位置情報サーバ１３との間でＴＣＰ接続の確立を開始する。尚、この場合、所定時間は、例えばユーザにより携帯電話機１の周囲環境や基地局１４の設置形態などに基づいて自在に設定される時間である。サーチタスクは、測位セッション管理タスクから基地局情報収集開始要求が通知されると、基地局情報収集処理を開始する。
【００３０】
測位セッション管理タスクは、位置情報サーバ１３との間でＴＣＰ接続の確立を完了すると、測位開始要求メッセージを位置情報サーバ１３に送信し、それに伴って、位置情報サーバ１３から測位開始応答メッセージを受信すると、先に計時部１２にて開始させた所定時間の計時が終了したか否かを判定する。ここで、測位セッション管理タスクは、所定時間の計時が終了していないと判定すると、所定時間の計時が終了するのを待機し、所定時間の計時が終了したと判定すると、基地局情報収集結果要求をサーチタスクに通知する。サーチタスクは、測位セッション管理タスクから基地局情報収集結果要求が通知されると、基地局情報収集結果を取得し、その取得された基地局情報収集結果を基地局情報収集結果応答に格納し、その基地局情報収集結果を格納した基地局情報収集結果応答を測位セッション管理タスクに通知する。
【００３１】
そして、測位セッション管理タスクは、サーチタスクから基地局情報収集結果応答が通知されると、その通知された基地局情報収集結果応答に格納されている基地局情報収集結果を基地局情報収集結果メッセージに格納し、その基地局情報収集結果を格納した基地局情報収集結果メッセージを位置情報サーバ１３に送信する。
【００３２】
これ以降、位置情報サーバ１３は、携帯電話機１から基地局情報収集結果メッセージを受信すると、その受信された基地局情報収集結果メッセージに格納されている基地局情報収集結果に基づいて携帯電話機１のおおよその位置を特定すると共に、携帯電話機１がＧＰＳ衛星３を捕捉するのに有益なアシスト情報を携帯電話機１に送信し、そして、携帯電話機１は、位置情報サーバ１３からアシスト情報を受信すると、その受信されたアシスト情報に基づいてＧＰＳ衛星３を捕捉する。
【００３３】
（２）携帯電話機１と位置情報サーバ１３との間の接続がドーマント状態から復帰した場合
次に、携帯電話機１と位置情報サーバ１３との間の接続がドーマント状態から復帰した場合について、図３を参照して説明する。ＣＰＵ２において、測位セッション管理タスクは、携帯電話機１と位置情報サーバ１３との間でハードハンドオフが発生し、携帯電話機１と位置情報サーバ１３との間の接続がドーマント状態から復帰すると、基地局情報収集開始要求をサーチタスクに通知する。ここで、測位セッション管理タスクは、この場合も、あらかじめ設定している所定時間の計時を計時部１２にて開始させる。サーチタスクは、測位セッション管理タスクから基地局情報収集開始要求が通知されると、基地局情報収集処理を開始する。
【００３４】
測位セッション管理タスクは、先に計時部１２にて開始させた所定時間の計時が終了したか否かを判定し、所定時間の計時が終了していないと判定すると、所定時間の計時が終了するのを待機し、所定時間の計時が終了したと判定すると、基地局情報収集結果要求をサーチタスクに通知する。サーチタスクは、測位セッション管理タスクから基地局情報収集結果要求が通知されると、基地局情報収集結果を取得し、その取得された基地局情報収集結果を基地局情報収集結果応答に格納し、その基地局情報収集結果を格納した基地局情報収集結果応答を測位セッション管理タスクに通知する。
【００３５】
そして、測位セッション管理タスクは、サーチタスクから基地局情報収集結果応答が通知されると、その通知された基地局情報収集結果応答に格納されている基地局情報収集結果を基地局情報収集結果メッセージに格納し、その基地局情報収集結果を格納した基地局情報収集結果メッセージを位置情報サーバ１３に送信する。
【００３６】
この場合も、これ以降、位置情報サーバ１３は、携帯電話機１から基地局情報収集結果メッセージを受信すると、その受信された基地局情報収集結果メッセージに格納されている基地局情報収集結果に基づいて携帯電話機１のおおよその位置を特定すると共に、携帯電話機１がＧＰＳ衛星３を捕捉するのに有益なアシスト情報を携帯電話機１に送信し、そして、携帯電話機１は、位置情報サーバ１３からアシスト情報を受信すると、その受信されたアシスト情報に基づいてＧＰＳ衛星３を捕捉する。
【００３７】
以上に説明したように第１実施例によれば、携帯電話機１において、ユーザの操作による測位開始の指示があると、または、携帯電話機１と位置情報サーバ１３との間の接続がドーマント状態から復帰すると、基地局情報を収集する基地局情報収集処理を開始し、基地局情報収集処理を開始したのちに所定時間の計時を開始し、そして、所定時間の計時が終了すると、基地局情報収集結果を取得し、その取得された基地局情報収集結果を位置情報サーバ１３に送信するように構成したので、適切な基地局情報収集結果を取得し得ると推測される時間を所定時間として設定しておくことによって、携帯電話機１は、基地局情報収集処理を開始してから基地局情報収集結果を取得するまでに、適切な基地局情報収集結果を取得するのに十分な時間を確保することができ、その結果、適切な基地局情報収集結果を取得することができ、その取得された適切な基地局情報収集結果を位置情報サーバ１３に送信することができる。
【００３８】
そして、これ以降、位置情報サーバ１３は、携帯電話機１から適切な基地局情報収集結果を受信すると、その受信された適切な基地局情報収集結果に基づいて携帯電話機１のおおよその位置を正確に特定すると共に、適切なアシスト情報を携帯電話機１に送信することになり、携帯電話機１は、位置情報サーバ１３から適切なアシスト情報を受信すると、その受信された適切なアシスト情報に基づいて適切なＧＰＳ衛星３を捕捉することになるので、これによって、測位精度が低下することを未然に回避することができ、携帯電話機１の位置を正確に特定することができ、信頼性を高めることができる。
【００３９】
また、この場合は、測位セッション管理タスクが所定時間を計時するように構成したので、測位セッション管理タスクが基地局情報収集結果要求をサーチタスクに通知すると、測位セッション管理タスクがサーチタスクから基地局情報収集結果応答を速やかに通知することになり、この部分についての従来のシーケンスを変更することなく実現できるという利点がある。
【００４０】
（第２の実施の形態）
次に、本発明の第２実施例について、図４ならびに図５を参照して説明する。尚、上記した第１実施例と同一部分については説明を省略し、以下、異なる部分について説明する。
上記した第１実施例では、測位セッション管理タスクにおいて、所定時間を計時し、所定時間の計時が終了すると、基地局情報収集結果要求をサーチタスクに通知するように構成したものであるが、これに対して、この第２実施例では、サーチタスクにおいて、所定時間を計時し、所定時間の計時が終了すると、基地局情報収集結果を取得し、その取得された基地局情報収集結果を基地局情報収集結果応答に格納し、その基地局情報収集結果を格納した基地局情報収集結果応答を測位セッション管理タスクに通知するように構成したものである。尚、この第２実施例についても、
（１）ユーザの操作による測位開始の指示が操作部９にてあった場合
（２）携帯電話機１と位置情報サーバ１３との間の接続がドーマント状態から復帰した場合
の各々について順次説明する。
【００４１】
（１）ユーザの操作による測位開始の指示が操作部９にてあった場合
まず、ユーザの操作による測位開始の指示が操作部９にてあった場合について、図４を参照して説明する。ＣＰＵ２において、測位セッション管理タスクは、ユーザの操作による測位開始の指示が操作部９にてあると、基地局情報収集開始要求をサーチタスクに通知し、位置情報サーバ１３との間でＴＣＰ接続の確立を開始する。サーチタスクは、測位セッション管理タスクから基地局情報収集開始要求が通知されると、基地局情報収集処理を開始し、あらかじめ設定している所定時間の計時を計時部１２にて開始させる。尚、この場合も、所定時間は、ユーザにより自在に設定される時間である。
【００４２】
測位セッション管理タスクは、位置情報サーバ１３との間でＴＣＰ接続の確立を完了すると、測位開始要求メッセージを位置情報サーバ１３に送信し、それに伴って、位置情報サーバ１３から測位開始応答メッセージを受信すると、基地局情報収集結果要求をサーチタスクに通知する。
【００４３】
サーチタスクは、測位セッション管理タスクから基地局情報収集結果要求が通知されると、先に計時部１２にて開始させた所定時間の計時が終了したか否かを判定する。ここで、サーチタスクは、所定時間の計時が終了していないと判定すると、所定時間の計時が終了するのを待機し、一方、所定時間の計時が終了したと判定すると、基地局情報収集結果を取得し、その取得された基地局情報収集結果を基地局情報収集結果応答に格納し、その基地局情報収集結果を格納した基地局情報収集結果応答を測位セッション管理タスクに通知する。
【００４４】
そして、測位セッション管理タスクは、サーチタスクから基地局情報収集結果応答が通知されると、その通知された基地局情報収集結果応答に格納されている基地局情報収集結果を基地局情報収集結果メッセージに格納し、その基地局情報収集結果を格納した基地局情報収集結果メッセージを位置情報サーバ１３に送信する。
【００４５】
（２）携帯電話機１と位置情報サーバ１３との間の接続がドーマント状態から復帰した場合
次に、携帯電話機１と位置情報サーバ１３との間の接続がドーマント状態から復帰した場合について、図５を参照して説明する。ＣＰＵ２において、測位セッション管理タスクは、携帯電話機１と位置情報サーバ１３との間でハードハンドオフが発生し、携帯電話機１と位置情報サーバ１３との間の接続がドーマント状態から復帰すると、基地局情報収集開始要求をサーチタスクに通知する。
【００４６】
サーチタスクは、測位セッション管理タスクから基地局情報収集開始要求が通知されると、基地局情報収集処理を開始し、あらかじめ設定している所定時間の計時を計時部１２にて開始させる。そして、サーチタスクは、測位セッション管理タスクから基地局情報収集結果要求が通知されると、先に計時部１２にて開始させた所定時間の計時が終了したか否かを判定する。ここで、サーチタスクは、所定時間の計時が終了していないと判定すると、所定時間の計時が終了するのを待機し、一方、所定時間の計時が終了したと判定すると、基地局情報収集結果を取得し、その取得された基地局情報収集結果を基地局情報収集結果応答に格納し、その基地局情報収集結果を格納した基地局情報収集結果応答を測位セッション管理タスクに通知する。
【００４７】
そして、測位セッション管理タスクは、サーチタスクから基地局情報収集結果応答が通知されると、その通知された基地局情報収集結果応答に格納されている基地局情報収集結果を基地局情報収集結果メッセージに格納し、その基地局情報収集結果を格納した基地局情報収集結果メッセージを位置情報サーバ１３に送信する。
【００４８】
以上に説明したように第２実施例によれば、上記した第１実施例に記載したものと比較すると、測位セッション管理タスクが所定時間を計時することに代えて、サーチタスクが所定時間を計時するように構成し、その他の部分については、上記した第１実施例に記載したものと同一の構成としたので、上記した第１実施例に記載したものと同様の作用効果を得ることができる。すなわち、携帯電話機１においては、適切な基地局情報収集結果を位置情報サーバ１３に送信することができ、また、位置特定システムにおいては、携帯電話機１の位置を正確に特定することができ、信頼性を高めることができる。
【００４９】
（第３の実施の形態）
次に、本発明の第３実施例について、図６ならびに図７を参照して説明する。尚、上記した第１実施例ならびに第２実施例と同一部分については同一符号を付して説明を省略し、以下、異なる部分について説明する。
この第３実施例では、サーチタスクにおいて、基地局情報収集結果が所定条件を満たしているか否かを判定し、基地局情報収集結果が所定条件を満たしていると判定すると、基地局情報収集結果応答を測位セッション管理タスクに通知するように構成したものである。尚、この第３実施例については、ユーザの操作による測位開始の指示が操作部９にてあった場合と、携帯電話機１と位置情報サーバ１３との間の接続がドーマント状態から復帰した場合とを纏めて説明する。
【００５０】
ＣＰＵ２において、サーチタスクは、ユーザの操作による測位開始の指示が操作部９にてあった場合、または、携帯電話機１と位置情報サーバ１３との間の接続がドーマント状態から復帰した場合に、測位セッション管理タスクから基地局情報収集結果要求が通知されると、基地局情報収集結果を取得し、その取得された基地局情報収集結果が所定条件を満たしているか否かを判定する。尚、この場合、所定条件は、例えばユーザにより携帯電話機１の周囲環境や基地局１４の設置形態などに基づいて自在に設定される条件である。ここで、サーチタスクは、基地局情報収集結果が所定条件を満たしていないと判定すると、基地局情報収集結果が所定条件を満たすようになるまで、基地局情報収集結果を繰返して取得し、その繰返して取得された基地局情報収集結果が所定条件を満たしているか否かを繰返して判定する。そして、サーチタスクは、基地局情報収集結果が所定条件を満たしていると判定すると、その所定条件を満たしている基地局情報収集結果を基地局情報収集結果応答に格納し、その基地局情報収集結果を格納した基地局情報収集結果応答を測位セッション管理タスクに通知する。
【００５１】
そして、測位セッション管理タスクは、サーチタスクから基地局情報収集結果応答が通知されると、その通知された基地局情報収集結果応答に格納されている基地局情報収集結果を基地局情報収集結果メッセージに格納し、その基地局情報収集結果を格納した基地局情報収集結果メッセージを位置情報サーバ１３に送信する。
【００５２】
以上に説明したように第３実施例によれば、携帯電話機１において、例えばユーザの操作による測位開始の指示があると、または、携帯電話機１と位置情報サーバ１３との間の接続がドーマント状態から復帰すると、基地局情報を収集する基地局情報収集処理を開始して基地局情報収集結果を取得し、その取得された基地局情報収集結果が所定条件を満たしているか否かを判定し、基地局情報収集結果が所定条件を満たしていると判定すると、その所定条件を満たしている基地局情報収集結果を位置情報サーバ１３に送信するように構成したので、適切な基地局情報収集結果を取得し得ると推測される条件を所定条件として設定しておくことによって、上記した第１実施例に記載したものと同様にして、携帯電話機１は、適切な基地局情報収集結果を位置情報サーバ１３に送信することができる。そして、この場合も、これ以降、位置特定システムにおいては、携帯電話機１の位置を正確に特定することができ、信頼性を高めることができる。
【００５３】
また、この場合は、上記した第１実施例や第２実施例に記載したものと比較すると、適切な基地局情報収集結果を取得し得ると推測される所定時間ではなく、適切な基地局情報収集結果を取得し得ると推測される所定条件を満たしているか否かを判定し、つまり、所定時間を判定基準とするのではなく、所定条件を判定基準としているので、携帯電話機１は、所定条件を満たしている基地局情報収集結果を取得すると、所定時間が経過するのを待機することがなく、その取得された基地局情報収集結果を速やかに位置情報サーバ１３に送信することができるという利点がある。
【００５４】
（第４の実施の形態）
次に、本発明の第４実施例について、図８ならびに図９を参照して説明する。尚、上記した第３実施例と同一部分については説明を省略し、以下、異なる部分について説明する。
上記した第３実施例では、サーチタスクにおいて、基地局情報収集結果が所定条件を満たしているか否かを判定し、基地局情報収集結果が所定条件を満たしていない判定すると、基地局情報収集結果が所定条件を満たすようになるまで、基地局情報収集結果を繰返して取得するように構成したものであるが、これに対して、この第４実施例では、サーチタスクにおいて、基地局情報収集結果が所定条件を満たしていないと判定すると、測位セッション管理タスクにおいて、所定時間を計時し、所定時間の計時が終了すると、基地局情報収集結果要求をサーチタスクに再度通知するように構成したものである。尚、この第４実施例についても、ユーザの操作による測位開始の指示が操作部９にてあった場合と、携帯電話機１と位置情報サーバ１３との間の接続がドーマント状態から復帰した場合とを纏めて説明する。
【００５５】
ＣＰＵ２において、サーチタスクは、ユーザの操作による測位開始の指示が操作部９にてあった場合、または、携帯電話機１と位置情報サーバ１３との間の接続がドーマント状態から復帰した場合に、測位セッション管理タスクから基地局情報収集結果要求が通知されると、基地局情報収集結果を取得し、その取得された基地局情報収集結果が所定条件を満たしているか否かを判定する。ここで、サーチタスクは、基地局情報収集結果が所定条件を満たしていないと判定すると、基地局情報収集結果が所定条件を満たしていないことを表す基地局情報収集結果応答ＮＧを測位セッション管理タスクに通知する。
【００５６】
測位セッション管理タスクは、サーチタスクから基地局情報収集結果応答ＮＧが通知されると、あらかじめ設定している所定時間の計時を計時部１２にて開始させる。尚、この場合も、所定時間は、ユーザにより自在に設定される時間である。そして、測位セッション管理タスクは、先に計時部１２にて開始させた所定時間の計時が終了したか否かを判定し、所定時間の計時が終了していないと判定すると、所定時間の計時が終了するのを待機し、一方、所定時間の計時が終了したと判定すると、基地局情報収集結果要求をサーチタスクに再度通知する。
【００５７】
サーチタスクは、測位セッション管理タスクから基地局情報収集結果要求が再度通知されると、基地局情報収集結果を再度取得し、その再度取得された基地局情報収集結果が所定条件を満たしているか否かを再度判定し、基地局情報収集結果が所定条件を満たすようになるまで、この一連の処理を繰返して実行する。そして、サーチタスクは、基地局情報収集結果が所定条件を満たしていると判定すると、その所定条件を満たしている基地局情報収集結果を基地局情報収集結果応答ＯＫに格納し、その基地局情報収集結果を格納した基地局情報収集結果応答ＯＫを測位セッション管理タスクに通知する。
【００５８】
そして、測位セッション管理タスクは、サーチタスクから基地局情報収集結果応答ＯＫが通知されると、その通知された基地局情報収集結果応答ＯＫに格納されている基地局情報収集結果を基地局情報収集結果メッセージに格納し、その基地局情報収集結果を格納した基地局情報収集結果メッセージを位置情報サーバ１３に送信する。
【００５９】
以上に説明したように第４実施例によれば、上記した第３実施例に記載したもの同様の作用効果を得ることができ、特に、この場合は、基地局情報収集結果が所定条件を満たしていないと判定すると、所定時間の計時を開始し、そして、所定時間の計時が終了すると、基地局情報収集結果が所定条件を満たしているか否かを再度判定するように構成したので、携帯電話機１は、基地局情報収集結果を連続的に取得するのではなく、所定時間が経過する毎に、基地局情報収集結果を取得し、その取得された基地局情報収集結果が所定条件を満たしているか否かを再度判定することになり、基地局情報収集結果が所定条件を満たしていると判定すると、その所定条件を満たしている基地局情報収集結果を速やかに位置情報サーバ１３に送信することができる。
【００６０】
（その他の実施の形態）
本発明は、上記した実施例にのみ限定されるものでなく、次のように変形または拡張することができる。
無線通信端末は、携帯電話機に限らず、携帯情報端末などの他の通信端末であっても良い。
【００６１】
所定時間や所定条件は、システムに学習機能を持たせることによって、システム側で決定する構成であっても良い。
【００６２】
ユーザの操作による測位開始の指示があった時点で、ＰＰＰ接続を確立しているか否かに拘らず、基地局情報収集結果を所定時間が経過したのちに取得し、その取得された基地局情報収集結果を位置情報サーバに送信したり、また、基地局情報収集結果が所定条件を満たしているか否かを判定し、その所定条件を満たしている基地局情報収集結果を位置情報サーバに送信したりする構成であっても良い。
ＣＰＵが実行するコンピュータプログラムは、最初（例えば製品化の段階）から記憶されているものに限らず、例えば特定のサーバから電話網を通じてダウンロードされたり、或いは、ＣＤ−ＲＯＭ（Compact Disk−Read Only Memory）やカードなどの記録媒体から転送されてインストールされるものであっても良い。
【図面の簡単な説明】
【図１】本発明の第１実施例の処理の流れを概略的に示す図
【図２】携帯電話機の機能ブロックならびに周辺の構成を概略的に示す図
【図３】図１相当図
【図４】本発明の第２実施例の処理の流れを概略的に示す図
【図５】図４相当図
【図６】本発明の第３実施例の処理の流れを概略的に示す図
【図７】図６相当図
【図８】本発明の第４実施例の処理の流れを概略的に示す図
【図９】図８相当図
【図１０】従来例の処理の流れを概略的に示す図
【図１１】図１０相当図
【図１２】図１０相当図
【符号の説明】
図面中、１は携帯電話機（無線通信端末）、２はＣＰＵ（制御手段）、５はＣＤＭＡ無線部（電話無線手段）、１２は計時部（計時手段）、１３は位置情報サーバ、１４は基地局である。
【図１】
0003753031.tif 000002
【図２】
0003753031.tif 000003
【図３】
0003753031.tif 000004
【図４】
0003753031.tif 000005
【図５】
0003753031.tif 000006
【図６】
0003753031.tif 000007
【図７】
0003753031.tif 000008
【図８】
0003753031.tif 000009
【図９】
0003753031.tif 000010
【図１０】
0003753031.tif 000011
【図１１】
0003753031.tif 000012
【図１２】
0003753031.tif 000013